【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
デジタルカメラの光学系のための調整可能な支持体であって、
前記デジタルカメラ内に固定され、長手方向軸を有する固定管状支持体と、
前記固定管状支持体上での同軸上での相対的な移動のために取り付けられる可動管状支持体と、
前記可動管状支持体に取り付けられるレンズと、
前記固定管状支持体に取り付けられる可撓プリント基板と、
個別に励起可能な少なくとも２つの活性化した区域を有し、可撓プリント基板に取り付けられ、可動管状支持体に係合するため、および前記固定管状支持体の前記長手方向軸と同軸状に前記可動管状支持体を移動するために印加される電圧に応えて変形可能である少なくとも１つの圧電素子と、
を備えることを特徴とする調整可能な支持体。
【請求項２】
前記圧電素子が梁の形で構成され、前記梁が長手方向軸を有し、
それぞれが少なくとも２つの活性化した区域を有して構成される第１の圧電セクションと第２の圧電セクションと、
前記第１の圧電セクションと第２の圧電セクションとを接続する受動パーツと、
前記可動管状支持体との係合のための表面を提供する係合パッドとをさらに備え、
前記梁が固定管状支持体上で取り付けられ、前記係合面が前記可動管状支持体と作動接触していることを特徴とする請求項１記載のデジタルカメラの光学系のための調整可能な支持体。
【請求項３】
前記活性化した区域が、前記活性化した区域の独立した励起を実現するために、前記電圧が印加される電極により連結される圧電材料の少なくとも２つの平行した層を備えることを特徴とする請求項２記載のデジタルカメラの光学系のための調整可能な支持体。
【請求項４】
前記レンズがオートフォーカス機能をデジタルカメラに提供することを特徴とする請求項１記載のデジタルカメラの光学系のための調整可能な支持体。
【請求項５】
前記可動管状支持体との係合のために前記梁の歪みを引き起こすために、および軸に沿った移動を提供するために前記梁の歪みをさらに引き起こすために前記印加電圧が変えられることを特徴とする請求項２記載のデジタルカメラの光学系のための調整可能な支持体。
【請求項６】
前記電圧が所定のパターンに応じて変えられることを特徴とする請求項５記載のデジタルカメラの光学系のための調整可能な支持体。
【請求項７】
前記可撓プリント基板が前記固定管状支持体上に巻きつけられ、前記固定管状支持体と調和した管状の形状を取ることを特徴とする請求項１記載のデジタルカメラの光学系のための調整可能な支持体。
【請求項８】
前記少なくとも１つの圧電素子が、前記固定管状支持体上で当該固定管状支持体の前記長手方向軸の周りに対称的に配置される複数の圧電素子を備えることを特徴とする請求項１記載のデジタルカメラの光学系のための調整可能な支持体。
【請求項９】
前記少なくとも１つの圧電素子が前記固定管状支持体の外面において当該固定管状支持体の前記長手方向軸の周りに対称的に配置される複数の圧電素子を備え、前記圧電素子が前記固定管状支持体のアクセス開口部を通して前記可動管状支持体を係合することを特徴とする請求項１記載のデジタルカメラの光学系のための調整可能な支持体。
【請求項１０】
前記圧電素子が梁の形で構成され、前記固定管状支持体上に取り付けられ、前記梁が可動端部に向かって片持ち梁式に前記固定管状支持体から前記長手方向軸に平行に伸張し、前記電圧が所定のパターンにしたがって変えられることを特徴とする請求項１記載のデジタルカメラの光学系のための調整可能な支持体。
【請求項１１】
電圧の所定のパターンが前記圧電素子の前記可動端部を楕円パターンで移動するように工夫されることを特徴とする請求項１０記載のデジタルカメラの光学系のための調整可能な支持体。
【請求項１２】
カメラ内で固定され、長手方向軸を有する固定管状支持体と、
固定管状支持体上での同軸上の相対的な移動のために取り付けられる可動管状支持体と、
前記可動管状支持体上に取り付けられるレンズと、
梁の形で構成される少なくとも１つの圧電素子であって、前記梁が長手方向軸および第１の端部と第２の端部を有し、前記第１の端部と第２の端部の近くで固定管状支持体に固定され、さらに、
それぞれ少なくとも１つの活性化された区域を有して構成され、前記可動管状支持体を係合し、前記長手方向軸と同軸状に前記可動管状支持体を移動させるために印加電圧に応えて選択的に変形可能である第１の圧電セクションと第２の圧電セクションと、
第１の圧電セクションと第２の圧電セクションとを接続する受動パーツと、
前記可動管状支持体との係合のための表面を提供する係合パッドとを備え、
前記梁は、前記係合面が前記可動管状支持体と作動接触できるようにする方法で固定管状支持体に連結され、
前記固定管状支持体上に取り付けられる可撓プリント基板をさらに備え、前記少なくとも１つの圧電素子が前記可撓プリント基板にじかに取り付けられ、連結されることを特徴とするデジタルカメラの光学系のための調整可能な支持体。
【請求項１３】
カメラ内で固定され、長手方向軸を有する固定管状支持体と、
固定管状支持体上での同軸上の相対的な移動のために取り付けられる可動管状支持体と、
前記可動管状支持体上に取り付けられるレンズと、
梁の形で構成される少なくとも１つの圧電素子であって、前記梁が長手方向軸および第１の端部と第２の端部を有し、前記第１の端部と第２の端部の近くで固定管状支持体に固定され、さらに、
それぞれ少なくとも１つの活性化された区域を有して構成され、前記可動管状支持体を係合し、前記長手方向軸に沿って支持体を移動させるために印加電圧に応えて選択的に変形可能である第１の圧電セクションと第２の圧電セクションと、
第１の圧電セクションと第２の圧電セクションとを接続する受動パーツと、
前記可動管状支持体との係合のための表面を提供する係合パッドとを備え、
前記梁は、前記係合面が前記可動管状支持体と作動接触できるようにする方法で固定管状支持体に連結され、
前記少なくとも１つの圧電素子が固定管状支持体上において当該固定管状支持体の前記長手方向軸の周りに対称的に配置される複数の圧電素子を備えることを特徴とするデジタルカメラの光学系のための調整可能な支持体。
【請求項１４】
カメラ内で固定され、長手方向軸を有する固定管状支持体と、
固定管状支持体上での同軸上の相対的な移動のために取り付けられる可動管状支持体と、
前記可動管状支持体上に取り付けられるレンズと、
梁の形で構成される少なくとも１つの圧電素子であって、前記梁が長手方向軸および第１の端部と第２の端部を有し、前記第１の端部と第２の端部の近くで固定管状支持体に固定され、さらに、
それぞれ少なくとも１つの活性化された区域を有して構成され、前記可動管状支持体を係合し、前記長手方向軸に沿って支持体を移動させるために印加電圧に応えて選択的に変形可能である第１の圧電セクションと第２の圧電セクションと、
第１の圧電セクションと第２の圧電セクションとを接続する受動パーツと、
前記可動管状支持体との係合のための表面を提供する係合パッドとを備え、
前記梁は、前記係合面が前記可動管状支持体と作動接触できるようにする方法で固定管状支持体に連結され、
前記可動管状支持体に係合するために前記梁の歪みを引き起こすため、およびさらに軸に沿った移動を提供するために前記梁の歪みを引き起こすために前記印加電圧が変えられることを特徴とするデジタルカメラの光学系のための調整可能な支持体。
【請求項１５】
前記電圧が所定のパターンにしたがって変えられることを特徴とする請求項１４記載のデジタルカメラの光学系のための調整可能な支持体。
【請求項１６】
カメラ内で固定され、長手方向軸を有する固定管状支持体と、
固定管状支持体上での同軸上の相対的な移動のために取り付けられる可動管状支持体と、
前記可動管状支持体上に取り付けられるレンズと、
梁の形で構成される少なくとも１つの圧電素子であって、前記梁が長手方向軸および第１の端部と第２の端部を有し、前記第１の端部と第２の端部の近くで固定管状支持体に固定され、さらに、
それぞれ少なくとも１つの活性化された区域を有して構成され、前記可動管状支持体を係合し、前記長手方向軸に沿って支持体を移動させるために印加電圧に応えて選択的に変形可能である第１の圧電セクションと第２の圧電セクションと、
第１の圧電セクションと第２の圧電セクションとを接続する受動パーツと、
前記可動管状支持体との係合のための表面を提供する係合パッドとを備え、
前記梁は、前記係合面が前記可動管状支持体と作動接触できるようにする方法で固定管状支持体に連結され、
前記少なくとも１つの圧電素子が固定管状支持体上で当該固定管状支持体の前記長手方向軸の周りに対称的に配置される複数の圧電素子を備えることを特徴とするデジタルカメラの光学系のための調整可能な支持体。
【請求項１７】
カメラ内で固定され、長手方向軸を有する固定管状支持体と、
固定管状支持体上での同軸上の相対的な移動のために取り付けられる可動管状支持体と、
前記可動管状支持体上に取り付けられるレンズと、
梁の形で構成される少なくとも１つの圧電素子であって、前記梁が長手方向軸および第１の端部と第２の端部を有し、前記第１の端部と第２の端部の近くで固定管状支持体に固定され、さらに、
それぞれ少なくとも１つの活性化された区域を有して構成され、前記可動管状支持体を係合し、前記長手方向軸に沿って支持体を移動させるために印加電圧に応えて選択的に変形可能である第１の圧電セクションと第２の圧電セクションと、
第１の圧電セクションと第２の圧電セクションとを接続する受動パーツと、
前記可動管状支持体との係合のための表面を提供する係合パッドとを備え、
前記梁は、前記係合面が前記可動管状支持体と作動接触できるようにする方法で固定管状支持体に連結され、
前記少なくとも１つの圧電素子が、固定管状支持体の外面上で当該固定管状支持体の前記長手方向軸の周りに対称的に配置される複数の圧電素子を備え、前記複数の圧電素子が前記固定管状支持体内のアクセス開口部を通って前記可動管状支持体を係合することを特徴とするデジタルカメラの光学系のための調整可能な支持体。
【請求項１８】
デジタルカメラに取り付けられるメインカメラ制御回路基板と、
画像を受け取り処理するために前記メインカメラ制御回路基板に取り付けられる光学系と、
前記メインカメラ制御回路基板に取り付けられている、長手方向軸を有する固定管状支持体と、
固定管状支持体上での同軸上の相対的な移動のための可動管状支持体と、
前記可動管状支持体に取り付けられるレンズと、
固定管状支持体に取り付けられる可撓プリント基板と、
個別に励起可能である少なくとも２つの活性化した区域を有し、可撓プリント基板に取り付けられ、可動管状支持体を係合し、長手方向軸に沿って支持体を移動するために印加される電圧に応えて変形可能である前記少なくとも１つの圧電素子とを備え、
前記少なくとも１つの圧電素子が梁の形で構築され、前記梁が長手方向軸を有し、さらに、
それぞれ少なくとも１つの活性化した区域を有する第１の圧電セクションと第２の圧電セクションと、
第１の圧電セクションと第２の圧電セクションとを接続する受動パーツと、
前記可動管状支持体との係合のための表面を提供する係合パッドと、
を備え、
前記梁が固定管状支持体に取り付けられ、前記係合面が前記可動管状支持体と作動接触し、固定管状支持体上に取り付けられる可撓プリント基板をさらに備え、前記少なくとも１つの圧電素子が前記可撓プリント基板にじかに取り付けられ、連結されることを特徴とするデジタルカメラシステム。
【請求項１９】
前記可撓プリント基板が前記固定管状支持体で巻きつけられ、前記固定管状支持体と調和する管状の形状を取ることを特徴とする請求項１８記載のデジタルカメラシステム。
【請求項２０】
デジタルカメラに取り付けられるメインカメラ制御回路基板と、
画像を受け取り処理するために前記メインカメラ制御回路基板に取り付けられる光学系と、
前記メインカメラ制御回路基板に取り付けられている、長手方向軸を有する固定管状支持体と、
固定管状支持体上での同軸上の相対的な移動のための可動管状支持体と、
前記可動管状支持体に取り付けられるレンズと、
固定管状支持体に取り付けられる可撓プリント基板と、
個別に励起可能である少なくとも２つの活性化した区域を有し、可撓プリント基板に取り付けられ、可動管状支持体を係合し、長手方向軸に沿って支持体を移動するために印加される電圧に応えて変形可能である前記少なくとも１つの圧電素子とを備え、
前記少なくとも１つの圧電素子が、固定管状支持体上において当該固定管状支持体の前記長手方向軸の周りに対称的に配置される複数の圧電素子を備えることを特徴とするデジタルカメラシステム。
【請求項２１】
デジタルカメラに取り付けられるメインカメラ制御回路基板と、
画像を受け取り処理するために前記メインカメラ制御回路基板に取り付けられる光学系と、
前記メインカメラ制御回路基板に取り付けられている、長手方向軸を有する固定管状支持体と、
固定管状支持体上での同軸上の相対的な移動のための可動管状支持体と、
前記可動管状支持体に取り付けられるレンズと、
固定管状支持体に取り付けられる可撓プリント基板と、
個別に励起可能である少なくとも２つの活性化した区域を有し、可撓プリント基板に取り付けられ、可動管状支持体を係合し、長手方向軸に沿って支持体を移動するために印加される電圧に応えて変形可能である前記少なくとも１つの圧電素子とを備え、
前記少なくとも１つの圧電素子が固定管状支持体の外面において当該固定管状支持体の前記長手方向軸の周りに対称的に配置されている複数の圧電素子を備え、前記少なくとも１つの圧電素子が前記固定管状支持体のアクセス開口部を通して前記可動管状支持体に係合することを特徴とするデジタルカメラシステム。
【請求項２２】
可撓回路基板上で組み立てられるメインカメラ制御回路と、
画像を受け取り、処理するためにカメラ内に含まれる光学系と、
カメラ内に固定され、長手方向軸を有する、前記可撓プリント基板がその上に取り付けられる固定管状支持体と、
固定管状支持体上での同軸の相対的な移動のための可動管状支持体と、
前記可動管状支持体に取り付けられるレンズと、
梁の形を取って構成され、前記梁が長手方向軸を有し、前記可撓プリント基板により固定管状支持体に固定され、前記固定管状支持体と前記可動管状支持体のあいだで伸張する、少なくとも１つの圧電素子とを備える前記光学系のための調整可能な支持体と、
前記梁がさらに
それぞれが少なくとも２つの活性化した区域を有し、前記圧電セクションが可動管状支持体に係合するため、および前記長手方向軸に沿って前記支持体を移動するために印加電圧に応えて選択的に変形可能である第１の圧電セクションと第２の圧電セクションと、
前記第１の圧電セクションと第２の圧電セクションとを接続する受動パーツと、
前記可動管状支持体との係合のための面を提供する作動レバーとを備え、
前記梁は、前記係合面が前記可動管状支持体と作動接触できるようにする方法で固定管状支持体に取り付けられ、
前記少なくとも１つの圧電素子が、固定管状支持体の内面において当該固定管状支持体の前記長手方向軸の周りに対称的に配置される複数の圧電素子を備えることを特徴とするデジタルカメラシステム。
【請求項２３】
可撓回路基板上で組み立てられるメインカメラ制御回路と、
画像を受け取り、処理するためにカメラ内に含まれる光学系と、
カメラ内に固定され、長手方向軸を有する、前記可撓プリント基板がその上に取り付けられる固定管状支持体と、
固定管状支持体上での同軸の相対的な移動のための可動管状支持体と、
前記可動管状支持体に取り付けられるレンズと、
梁の形を取って構成され、前記梁が長手方向軸を有し、前記可撓プリント基板により固定管状支持体に固定され、前記固定管状支持体と前記可動管状支持体のあいだで伸張する、少なくとも１つの圧電素子とを備える前記光学系のための調整可能な支持体と、
前記梁がさらに
それぞれが少なくとも２つの活性化した区域を有し、可動管状支持体に係合するため、および前記固定管状支持体の前記長手方向軸に沿って前記可動管状支持体を移動するために印加電圧に応えて選択的に変形可能である第１の圧電セクションと第２の圧電セクションと、
前記第１の圧電セクションと第２の圧電セクションとを接続する受動パーツと、
前記可動管状支持体との係合のための面を提供する作動レバーとを備え、
前記梁は、前記係合面が前記可動管状支持体と作動接触できるようにする方法で固定管状支持体に取り付けられ、
前記印加電圧が、前記可動管状支持体に係合するように前記梁の歪みを引き起こすため、および前記可動管状支持体の軸に沿った移動を提供するために前記梁をさらに引き起こすために変化することを特徴とするデジタルカメラシステム。
【請求項２４】
前記電圧が所定のパターンにしたがって変化することを特徴とする請求項２３記載のデジタルカメラシステム。
【請求項２５】
前記可動管状支持体の移動を制御するための位置基準を提供するために前記可動管状支持体の位置を感知するための可撓プリント基板上に取り付けられる位置センサをさらに備えることを特徴とする請求項１記載のデジタルカメラの光学システムのための調整可能な支持体。
【請求項２６】
位置センサが、前記可動管状支持体上の光学スケールからの反射光を感知する光学センサを備えることを特徴とする請求項２５記載のデジタルカメラの光学系の調整可能な支持体。
【請求項２７】
カメラ内に固定され、長手方向軸を有する固定管状支持体と、
固定管状支持体上で同軸上の移動のために取り付けられる可動管状支持体と、
固定管状支持体に取り付けられる可撓プリント基板と、
を備え、
前記可動管状支持体が、さらに、
前記固定管状支持体に取り付けられた前部セクションと後部セクションであって、前記前部セクションと前記後部セクションの間の相対移動と、縦一列に並んだ移動の両方のために取り付けられた前記前部セクションと前記後部セクションと、
そこでの移動のために前記前部セクションに取り付けられる少なくとも１つの第１のレンズと、
そこでの移動のために前記後部セクションに取り付けられる少なくとも１つの第２のレンズとを備え、
前記少なくとも１つの第１のレンズと第２のレンズが光学機能を提供するために光学的に協調し、
個別に励起可能である少なくとも２つの活性化した区域を有する少なくとも１つの第１の圧電素子であって、前記可撓プリント基板に取り付けられ、連結され、前記前部セクションに係合し、前記長手方向軸に沿って前記前部セクションを移動させるために印加電圧に応えて変形可能である前記少なくとも１つの圧電素子と、
個別に励起可能である少なくとも２つの活性化した区域を有する少なくとも１つの第２の圧電素子であって、前記可撓プリント基板に取り付けられ、前記後部セクションに係合し、前記長手方向軸に沿って前記後部セクションを移動させるために印加電圧に応えて変形可能である前記少なくとも１つの第２の圧電素子と、
を備えるデジタルカメラの光学系のための調整可能な支持体。
【請求項２８】
前記少なくとも１つの第１のレンズと第２のレンズがズーム機能を提供するために協調したことを特徴とする請求項２７記載のデジタルカメラの光学系のための調整可能な支持体。
【請求項２９】
前記少なくとも１つの第１のレンズがズームレンズであり、前記少なくとも１つの第２のレンズがフォーカスレンズであることを特徴とする請求項２７記載のデジタルカメラの光学系のための調整可能な支持体。
【請求項３０】
前記可撓プリント基板に取り付けられ、連結される第１の光学センサをさらに備え、前記第１の光学センサが前記前部セクションの表面から反射される光を感知するように配置され、第２の光学センサが前記後部セクションの表面から反射される光を感知するように配置されることを特徴とする請求項２７記載のデジタルカメラの光学系のための調整可能な支持体。